(57)【要約】      （修正有）【課題】テレビ機能の操作とゲームの操作とを両立可能な多機能リモコンを提供する。【解決手段】ケース１０、回路基板、モード切替え用ボタン３０、及び複数の共通のキーを備える。回路基板はケース１０内に固設される。モード切替え用ボタン３０はケース１０に設置されると共に回路基板に電気的に接続される。また、複数の共通のキーはケース１０の前表面に設置され、共通のキーが押されると回路基板の対応する回路がそれぞれ導通され、対応する操作信号が発信される。また、モード切替え用ボタン３０が押されるとテレビモード及びゲームモードの切り換えが行われ、テレビモードでは複数の共通のキーはテレビのリモコンキーとして使用され、ゲームモードでは複数の共通のキーはゲームのコントローラーキーとして使用される。多機能リモコン１００はテレビ機能の操作が行える上、ゲームの操作も行え、使用コストを抑え、使用者にとって便利になる。【選択図】図６
0003196072.tif 000002
【実用新案登録請求の範囲】
【請求項１】
ケースと、
ケース内に固設される回路基板と、
前記ケースに設置されると共に前記回路基板に電気的に接続されるモード切替え用ボタンと、
前記ケースの前表面に設置され、それが押されると前記回路基板の対応する回路がそれぞれ導通され、対応する操作信号が発信される複数の共通のキーを備え、
ここでは、前記モード切替え用ボタンが押されるとテレビモード及びゲームモードの切り換えが行われ、テレビモードでは複数の共通のキーはテレビのリモコンキーとして使用され、ゲームモードでは複数の共通のキーはゲームのコントローラーキーとして使用されることを特徴とする多機能リモコン。
【請求項２】
前記ケースの側面にそれぞれ間隔をあけるように装設される２組の制御キーを更に備え、制御キーが押されると前記回路基板の対応する回路がそれぞれ導通され、対応する操作信号が発信されることを特徴とする、請求項１記載の多機能リモコン。
【請求項３】
前記ケースの片側には２つのキー溝部が間隔をあけるように開設され、前記２組の制御キーはキー溝部内にそれぞれ装設されることを特徴とする、請求項２記載の多機能リモコン。
【請求項４】
前記ケースは前ケース、及び前ケース後部に覆設される後ケースを備え、前記前ケースと後ケースとの間には収納室が形成され、前記回路基板は収納室内に固設されると共に前ケースの前表面に平行になる第一回路基板を具備し、共通のキーが押されると前記第一回路基板の対応する回路が導通されることを特徴とする、請求項３記載の多機能リモコン。
【請求項５】
前記共通のキーは複数の第一キー及び複数の第二キーを備え、前記複数の第一キーは前ケースの前表面の片側に設置され、前記複数の第二キーは前ケースの前表面の他側に設置されることを特徴とする、請求項４記載の多機能リモコン。
【請求項６】
前記複数の第一キーはセンターキー及びセンターキーを包囲させて環状を呈するように配列される４つの方向キーを備え、各方向キーの上下左右はそれぞれ対称の対になることを特徴とする、請求項５記載の多機能リモコン。
【請求項７】
前記複数の第二キーは十字形を呈するように配列されることを特徴とする、請求項５記載の多機能リモコン。
【請求項８】
前記回路基板は第一回路基板に電気的に接続される２つの第二回路基板を更に備え、前記２つの第二回路基板は２つのキー溝部内にそれぞれ設置されると共に第一回路基板に垂直なることを特徴とする、請求項４記載の多機能リモコン。
【請求項９】
前記前ケースには第二回路基板の片側に２つの第一切欠き部が間隔をあけるように開設され、前記後ケースには第二回路基板の片側に２つの第一切欠き部にそれぞれ対応する２つの第二切欠き部が開設され、前記２つの第一切欠き部及び前記２つの第二切欠き部がそれぞれ組み合わされることで２つの前記キー溝部が形成され、前記２組の制御キーは上方向キー及び下方向キーをそれぞれ備え、前記２つの上方向キーは第一切欠き部内にそれぞれ装設され、前記２つの下方向キーは第二切欠き部内にそれぞれ装設され、上方向キー或いは下方向キーが押されると第二回路基板の対応する回路がそれぞれ導通されることを特徴とする、請求項８記載の多機能リモコン。
【請求項１０】
ケースの前表面に固設されると共に前記回路基板に電気的に接続される少なくとも１つのタッチパネルを更に備え、外部のタッチ操作信号を受信させて前記回路基板に入力させ、前記回路基板は処理後にタッチ操作信号を端末に出力させることを特徴とする、請求項１記載の多機能リモコン。
【請求項１１】
前記タッチパネルはタッチ式の液晶ディスプレイであることを特徴とする、請求項１０記載の多機能リモコン。
【考案の詳細な説明】
【技術分野】
【０００１】
本考案は、多機能リモコンに関する。
【背景技術】
【０００２】
テレビのチャンネルを変えたり音量を調節する等、テレビを簡単に素早く操作できるテレビのリモコンは、我々の生活に不可欠な装置となっている。
【考案の概要】
【考案が解決しようとする課題】
【０００３】
しかしながら、前述した従来のリモコンでは、すなわち、ゲーム愛好家がゲームをテレビに映してプレイする場合、通常はゲーム用のコントローラーを別に用意してゲームを操作する。これでは１台のテレビに対して多くのコントローラーを用意せねば使用者の需要を満たせず、使用コストが増加する上、使用上も不便であった。このため、テレビ機能の操作とゲームの操作を１台で行えるリモコンを提供し、使用コストを下げ、使用者の利便性を向上させる必要がある。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の実情に鑑みなされたものであって、上記課題解決のため、本考案は、多機能リモコンを提供することを主目的とする。換言すれば、従来の技術に存在する欠点及び不足に対して、テレビ機能の操作とゲームの操作とを両立可能な多機能リモコンを提供し、使用コストを抑え、使用者の利便性の向上を図る。
【課題を解決するための手段】
【０００６】
上述した課題を解決し、上記目的を達成するための本考案は、本考案に係る多機能リモコンは、
ケースと、ケース内に固設される回路基板と、
前記ケースに設置されると共に前記回路基板に電気的に接続されるモード切替え用ボタンと、前記ケースの前表面に設置され、それが押されると前記回路基板の対応する回路がそれぞれ導通され、対応する操作信号が発信される複数の共通のキーを備え、ここでは、前記モード切替え用ボタンが押されるとテレビモード及びゲームモードの切り換えが行われ、テレビモードでは複数の共通のキーはテレビのリモコンキーとして使用され、ゲームモードで複数の共通のキーはゲームのコントローラーキーとして使用されることを特徴とする。
【考案の効果】
【０００７】
本考案の多機能リモコンによれば、上述したように、モード切替え用ボタンが設置されると共にモード切替え用ボタンが押されるとテレビモード及びゲームモードの切り換えが行われる。テレビモードでは複数の共通のキーはテレビのリモコンキーとして使用され、ゲームモードでは複数の共通のキー及び２組の制御キーはゲームのコントローラーキーとして使用される。これにより１つのリモコンでテレビ機能の操作及びゲームの操作の両方が行え、使用コストが低下し、使用者の利便性が向上する。
【図面の簡単な説明】
【０００８】
【図１】本考案の第１実施形態による多機能リモコンを示す外観斜視図である。
【図２】図１に示す多機能リモコンでは制御キーがない斜視図である。
【図３】本考案の多機能リモコンの第一回路基板と第二回路基板が後ケースに設置される斜視図である。
【図４】図１に示す多機能リモコンのIVーIVの断面図である。
【図５】本考案の多機能リモコンをテレビモードとして使用される概略図である。
【図６】本考案の多機能リモコンをゲームモードとして使用される概略図である。
【図７】本考案の多機能リモコンがテレビモードで、タッチパネルが使用される概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
（第１実施形態）
まず、本考案の多機能リモコン１００を図１及び図３に基づいて説明する。多機能リモコン１００は、ケース１０、回路基板２０、モード切替え用ボタン３０、少なくとも１つのタッチパネル４０、複数の共通のキー５０、及び２組の制御キー６０を備える。
【００１１】
前記ケース１０の片側には２つのキー溝部１４が間隔をあけるように開設される（図１、図２及び図４参照）。具体的には、ケース１０は前ケース１１、及び前ケース１１の後部に覆設される後ケース１２を備え、前記前ケース１１と後ケース１２との間には収納室１３が形成され、前ケース１１の片側には２つの第一切欠き部１１１が間隔をあけるように開設され、後ケース１２の片側には２つの第一切欠き部１１１箇所にそれぞれ対応する２つの第二切欠き部１２１が開設され、２つの第一切欠き部１１１が２つの第二切欠き部１２１にそれぞれ組み合わされて前記２つのキー溝部１４が形成される。
【００１２】
また、前記回路基板２０はケース１０の収納室１３内に固設されると共に第一回路基板２１、及び第一回路基板２１に電気的に接続される２つの第二回路基板２２を備える（図１乃至図４参照）。なお、前記第一回路基板２１は収納室１３内に固設されると共に前ケース１１の前表面に平行になり、２つの第二回路基板２２は２つのキー溝部１４内にそれぞれ設置されると共に第一回路基板２１に垂直になる。前記モード切替え用ボタン３０はケース１０の前ケース１１に設置されると共に回路基板２０の第一回路基板２１に電気的に接続される。
【００１３】
前記タッチパネル４０はタッチ式の液晶ディスプレイであり、ケース１０の前ケース１１の前表面に固設されると共に前記回路基板２０に電気的に接続され、外部のタッチ操作信号を受信させて回路基板２０に入力させ、回路基板２０は処理後にタッチ操作信号を端末に出力させる（図１及び図４参照）。
【００１４】
さらに、前記複数の共通のキー５０はケース１０の前ケース１１の前表面に設置される（図１参照）。具体的には、複数の共通のキー５０は複数の第一キー５１及び複数の第二キー５２を備え、前記複数の第一キー５１は前ケース１１の前表面にあるタッチパネル４０の片側に設置され、センターキー５１１及びセンターキー５１１を包囲させて環状を呈するように配列される４つの方向キー５１２を具備する。各方向キー５１２の上下左右はそれぞれ対称の対になる。前記複数の第二キー５２は前ケース１１の前表面にあるタッチパネル４０の他側に設置されると共に十字形を呈するように配列される。
【００１５】
なお、前記２組の制御キー６０はケース１０の側面のキー溝部１４内にそれぞれ間隔をあけるように設置される（図１、図２及び図４参照）。具体的には、２組の制御キー６０は上方向キー６１及び下方向キー６２をそれぞれ備え、前記２つの上方向キー６１は第一切欠き部１１１内にそれぞれ装設され、前記２つの下方向キー６２は第二切欠き部１２１内にそれぞれ装設される。上方向キー６１或いは下方向キー６２が押されると、第二回路基板２２の対応する回路がそれぞれ導通される。
【００１６】
本考案に係る多機能リモコン１００の使用において、共通のキー５０或いは制御キー６０が押されると、回路基板２０の対応する回路がそれぞれ導通されると共に対応する操作信号が発信される（図１、図４乃至図７参照）。具体的には、モード切替え用ボタン３０が押されるとテレビモード及びゲームモードの切り換えが行われ、テレビモードでは複数の共通のキー５０はテレビのリモコンキーとして使用され。ゲームモードでは複数の共通のキー５０の第一キー５１、第二キー５２、及び２組の制御キー６０の上方向キー６１及び下方向キー６２は全てゲームのコントローラーキーとして使用される。なお、テレビモードでは指をタッチパネル４０上で移動させたり押すことでテレビの操作が行え、ゲームモードでは指をタッチパネル４０上で移動させたり押すことでゲームの操作が行える。
【００１７】
上述のように、本考案に係る多機能リモコン１００は、モード切替え用ボタン３０が設置されることでモード切替え用ボタン３０が押されるとテレビモード及びゲームモードの切り換えが行われる。テレビモードでは複数の共通のキー５０はテレビのリモコンキーとして使用され、指をタッチパネル４０上で移動させたり押すことでテレビの操作が行える。ゲームモードでは複数の共通のキー５０及び２組の制御キー６０はゲームのコントローラーキーとして使用され、指をタッチパネル４０上で移動させたり押すことでゲームの操作が行える。これにより１つのリモコンでテレビ機能の操作及びゲーム機能の操作が行え、使用コストが低下し、使用者の利便性が向上する。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１００  多機能リモコン
１０  ケース
１１  前ケース
１１１  第一切欠き部
１２  後ケース
１２１  第二切欠き部
１３  収納室
１４  キー溝部
２０  回路基板
２１  第一回路基板
２２  第二回路基板
３０  モード切替え用ボタン
４０  タッチパネル
５０  共通のキー
５１  第一キー
５１１  センターキー
５１２  方向キー
５２  第二キー
６０  制御キー
６１  上方向キー
６２  下方向キー
【図１】
0003196072.tif 000003
【図２】
0003196072.tif 000004
【図３】
0003196072.tif 000005
【図４】
0003196072.tif 000006
【図５】
0003196072.tif 000007
【図６】
0003196072.tif 000008
【図７】
0003196072.tif 000009